(57)【特許請求の範囲】
【請求項１】
周囲温度を検出する温度検出手段と、前記周囲温度を下げるための冷却手段と、前記冷却手段へ電源を供給する電源入力手段と、前記温度検出手段が検出した前記周囲温度にもとづいて前記電源入力手段から前記冷却手段への電源供給を制御する電源入力制御手段と、前記電源入力制御手段による制御状態にかかわらず、前記電源入力手段から前記冷却手段への電源供給を切り替える電源入力切替手段と、故障診断を行う故障診断回路とを本体に備え、
前記電源入力切替手段は、前記故障診断回路が故障診断モードへ移行した状態でのみ前記電源入力手段から前記冷却手段への電源の供給を切り替えることを特徴とする電子機器。
【請求項２】
冷却手段は冷却ファンであることを特徴とする請求項１記載の電子機器。
【請求項３】
電源入力切替手段は、外部から機械的に操作される機械的接点を有したスイッチ回路であることを特徴とする請求項１または請求項２記載の電子機器。
【請求項４】
電源入力切替手段は、外部から非接触で操作される機械的接点を有していないスイッチング回路であることを特徴とする請求項１または請求項２記載の電子機器。
【請求項５】
電源入力切替手段は、スイッチング回路のオン／オフを外部から非接触で操作するためのセンサ回路を備えていることを特徴とする請求項４記載の電子機器。
【請求項６】
周囲温度を検出する温度検出手段と、前記周囲温度を下げるための冷却手段と、前記冷却手段へ電源を供給する電源入力手段と、前記温度検出手段が検出した前記周囲温度にもとづいて前記電源入力手段から前記冷却手段への電源供給を制御する電源入力制御手段と、前記電源入力制御手段による制御状態にかかわらず前記電源入力手段から前記冷却手段への電源の供給を指示するダミー信号を入力するダミー信号入力手段と、故障診断を行う故障診断回路とを本体に備え、
前記ダミー信号は前記故障診断回路が故障診断モードへ移行している状態にあるときにのみ有効となることを特徴とする電子機器。
【請求項７】
ダミー信号入力手段は、温度検出手段が検出した温度上昇検出信号を模擬したダミー信号を電源入力制御手段へ出力し、前記電源入力制御手段は現在の制御状態にかかわらず前記ダミー信号に基づいて、電源入力手段から冷却手段への電源供給を制御することを特徴とする請求項６記載の電子機器。
【発明の詳細な説明】
【０００１】
【発明の属する技術分野】
この発明は、動作試験を効率よく行えるようにした電子機器、およびその電子機器の動作試験方法に関するものである。
【０００２】
【従来の技術】
図８は、従来の電子機器の動作試験方法が適用される冷却ファンの動作試験の構成を示すブロック図であり、図において、５１は冷却対象となる電子機器の所定個所またはその周囲温度を検出する温度検出手段、５２は電源入力手段５３を制御する電源入力制御手段であり、電源入力手段５３は冷却手段５４へ電源を供給する。冷却手段５４は、電子機器の所定個所を冷却するための例えば冷却ファンである。
【０００３】
次に動作について説明する。
周囲温度が上昇し、あらかじめ設定されている例えば７０℃の温度しきい値を超えると、温度検出手段５１は周囲温度が前記しきい値を超えたことを示す温度上昇検出信号を電源入力制御手段５２へ出力する。電源入力制御手段５２は、前記温度上昇検出信号をもとに電源入力手段５３へ電源制御信号を出力する。電源入力手段５３では、前記電源制御信号をもとに冷却手段５４へ電源を供給する。冷却手段５４では、電源入力手段５３から電源が供給され、冷却ファンが動作して前記周囲温度を冷却する。
【０００４】
次に、このような冷却手段の動作試験方法について説明する。
このような冷却手段の動作試験は、周囲温度を前記７０℃の温度しきい値を超える温度まで上昇させる必要があり、周囲温度を試験的に上昇させるための加熱装置により周囲温度を上昇させ、前記周囲温度が前記温度しきい値を超える温度になっているか否かを判定し、前記温度しきい値を超える周囲温度において冷却ファンの動作を確認する。
【０００５】
【発明が解決しようとする課題】
従来の電子機器の動作試験方法は以上のように構成されており、周囲温度を試験的に上昇させるための加熱装置を含む試験装置が必要になり、さらに前記周囲温度を前記温度しきい値を超える温度にまで上昇させるのに時間を要し、動作試験に多くの時間と手間が必要となるなどの課題があった。
【０００６】
この発明は前記のような課題を解決するためになされたものであり、冷却手段の動作試験を容易かつ効率的に行うことの出来る電子機器および電子機器の動作試験方法を得ることを目的とする。
【０００７】
【課題を解決するための手段】
この発明に係る電子機器は、周囲温度を検出する温度検出手段と、前記周囲温度を下げるための冷却手段と、前記冷却手段へ電源を供給する電源入力手段と、前記温度検出手段が検出した前記周囲温度にもとづいて前記電源入力手段から前記冷却手段への電源供給を制御する電源入力制御手段と、前記電源入力制御手段による制御状態にかかわらず、前記電源入力手段から前記冷却手段への電源供給を切り替える電源入力切替手段と、故障診断を行う故障診断回路とを本体に備え、前記電源入力切替手段は、前記故障診断回路が故障診断モードへ移行した状態でのみ前記電源入力手段から前記冷却手段への電源の供給を切り替えるものである。
【０００８】
この発明に係る電子機器は、冷却手段として冷却ファンを備えるようにしたものである。
【０００９】
この発明に係る電子機器は、電源入力切替手段が、外部から機械的に操作される機械的接点を有したスイッチ回路を備えるようにしたものである。
【００１０】
この発明に係る電子機器は、電源入力切替手段が、外部から非接触で操作される機械的接点を有していないスイッチング回路を備えるようにしたものである。
【００１１】
この発明に係る電子機器は、電源入力切替手段が、スイッチング回路のオン／オフを外部から非接触で操作するためのセンサ回路を備えるようにしたものである。
【００１３】
この発明に係る電子機器は、故障診断回路が故障診断モードへ移行している状態にあるときにのみ、電源入力制御手段による制御状態にかかわらず、冷却手段への電源の供給を指示することが出来るダミー信号入力手段を備えるようにしたものである。
【００１４】
この発明に係る電子機器は、現在の制御状態にかかわらず、温度上昇検出信号を模擬したダミー信号に基づいて、電源入力手段から冷却手段への電源供給を制御する電源入力制御手段を備えるようにしたものである。
【００１８】
【発明の実施の形態】
実施の形態１．
図１は、この実施の形態１の動作試験方法が適用される冷却手段の駆動回路の構成を示すブロック図である。図において、１は電子機器の周囲温度を検出するための温度検出手段であり、周囲温度が例えば温度しきい値７０℃を超えると温度上昇検出信号Ｓ１を出力する。２は電源入力手段３を制御する電源入力制御手段であり、前記温度上昇検出信号Ｓ１をもとに電源供給制御信号Ｓ２を出力する。電源入力手段３は冷却手段４へ電源を供給するものであり、電源入力手段３が行う電源供給は前記電源供給制御信号Ｓ２により制御される。冷却手段４は、電子機器の所定個所を冷却するための例えば冷却ファンである。５は電源入力切替手段であり、温度検出手段１や電源入力制御手段２に影響されることはなく、温度検出手段１や電源入力制御手段２とは独立して電源入力手段３による電源供給を制御できる。６は故障診断回路であり、冷却手段４を内蔵した電子機器の各部の故障診断を行う。また、この故障診断回路６は所定の条件により故障診断モードに移行し、前記電子機器の各部の故障診断を行う。前記所定の条件とは、例えば外部に操作可能に取り付けられている故障診断スイッチの操作後の一定時間の経過、電子機器が車に搭載されているコンピュータである場合にはエンジンスタート後の一定期間などとしてあらかじめ規定されている。
【００１９】
図２は、図１に示す冷却手段４の冷却ファン８の動作回路を示す回路図であり、図において、７は冷却ファン８が内蔵された電子機器函体、９は冷却ファン８へ電力を供給するための直流電源である。１０は冷却ファン８に対する電力供給のオン／オフを行うスイッチ回路である。１１はスイッチ回路１０を操作可能な電子機器函体７の位置に設けられた開口部、１２は前記開口部１１から挿入され前記スイッチ回路１０の図示していないアクチュエータを押下する操作手段であり、例えば前記開口部１１から挿入可能な操作棒である。１３は前記電源入力制御手段２により閉成されるリレー接点等のスイッチ回路であり、前記スイッチ回路１０に対し並列接続されている。
【００２０】
次に動作について説明する。
冷却ファン８の動作試験を行う場合、操作棒１２を開口部１１から挿入し、スイッチ回路１０のアクチュエータを押下し、スイッチ回路１０を閉成する。この結果、冷却ファン８は温度検出手段１が検出した周囲温度の値にかかわらず動作することになるため、周囲温度が温度しきい値７０℃を超えていない状態であっても冷却ファン８を動作させることが出来る。
【００２１】
以上のように、この実施の形態１では、周囲温度を温度しきい値７０℃を超えた状態まで上昇させることなく冷却ファン８の動作試験を行えるため、冷却ファン８の動作試験を容易かつ効率的に行うことが出来る効果がある。
【００２２】
実施の形態２．
図３は、この実施の形態２の動作試験方法が適用される冷却手段の駆動条件の構成を示すブロック図である。なお、この実施の形態２でも前記実施の形態１の図１の構成が適用され、また前記冷却手段４は電子機器の周囲温度を下げるための冷却ファン８である。この実施の形態２では、冷却ファン８の駆動条件は、スイッチ閉条件２１と、故障診断回路６が故障診断モードになっていることを示す故障診断モード条件２２との論理積を得るアンドゲート２３の出力を冷却ファン８のファン動作条件２４とする。この場合のスイッチ閉条件２１は、前記実施の形態１のスイッチ回路１０を操作棒１２により押下して閉成した状態を示し、また前記故障診断モード条件２２は冷却ファン８を内蔵した電子機器の故障診断回路６が故障診断モードの状態になっていることを示す。このため、スイッチ閉条件２１と故障診断モード条件２２とが共に成立しなければ冷却ファン８は動作しない。この結果、前記実施の形態１の構成においては、操作棒１２によりスイッチ回路１０が閉成されるだけで冷却ファン８が動作したが、この実施の形態２では操作棒１２によりスイッチ回路１０が閉成されただけでは冷却ファン８は動作せず、このため操作棒１２によりスイッチ回路１０が誤操作された場合に冷却ファン８が動作してしまうのを防止できる効果がある。
【００２３】
図４は、図３に示す冷却ファン８の駆動条件を実現する具体的な回路例であり、操作棒１２により閉成されるスイッチ回路１０と、故障診断回路６が故障診断モードへ移行することで閉成するリレー接点等のスイッチ回路２５とが直列接続されて図３に示す冷却ファン８の駆動条件を構成する。
なお、図３に示す冷却ファン８の駆動条件はソフトウェアによっても実現できるものである。
【００２４】
以上のように、この実施の形態２によれば、冷却ファン８を内蔵した電子機器の故障診断回路６が故障診断モードにあるときのみ前記冷却ファン８の動作試験を実施できるため、前記冷却ファン８を不必要に動作させてしまう状態を確実に回避できる効果がある。
【００２５】
実施の形態３．
図５は、この実施の形態３の動作試験方法が適用される冷却手段の駆動回路の構成を示すブロック図である。なお、この実施の形態３でも、前記冷却手段４は電子機器の周囲温度を下げるための冷却ファン８である。図５において図１および図２と同一または相当の部分については同一の符号を付し説明を省略する。図において、３１は操作棒１２を所定距離内に近づけると検知信号を発生させるセンサ回路、３２は前記センサ回路３１の検知信号を増幅する増幅回路である。また、この実施の形態３の電源入力手段３は機械的な接点を有したスイッチ回路ではないトランジスタによるスイッチング回路を備えており、このスイッチング回路により冷却ファン８に対する電源供給のオン／オフを行う。このスイッチング回路は、増幅回路３２で増幅された前記検知信号または前記実施の形態１で説明した電源入力制御手段２から出力される電源供給制御信号Ｓ２により制御される構成であるが、前記実施の形態２で示した冷却ファン８の動作条件に示すように、スイッチ閉条件、すなわち前記検知信号の出力と故障診断モード条件２２との論理積を冷却ファン８の動作条件にすることも出来る。
【００２６】
次に動作について説明する。
操作棒１２をセンサ回路３１へ近接させると、センサ回路３１からは検知信号が出力される。この検知信号は増幅回路３２で増幅され電源入力手段３を構成するスイッチング回路をオン状態にし、冷却ファン８を駆動する。
【００２７】
以上のように、この実施の形態３によれば、非接触操作により冷却ファン８の駆動を制御でき、さらにトランジスタなどのスイッチング回路により電源供給を制御するため、冷却ファン８の動作をオン／オフするためのスイッチとして前記実施の形態１のように機械的なスイッチ回路１０を用いる場合に比べ、前記スイッチにおいて発生しがちな機械的な故障を防止することが出来、冷却ファン８の動作試験を行う際の信頼性を高められる効果がある。
【００２８】
実施の形態４．
図６は、この実施の形態４の動作試験方法が適用される冷却手段の駆動回路の構成を示すブロック図である。なお、この実施の形態４でも、前記冷却手段４は電子機器の周囲温度を下げるための冷却ファン８である。図６において図１と同一または相当の部分については同一の符号を付し説明を省略する。図において、４１は温度検出手段１から電源入力制御手段２へ入力される温度上昇検出信号Ｓ１と等価なダミー信号Ｓ３を出力するダミー信号入力手段である。電源入力制御手段２では、温度検出手段１から温度上昇検出信号Ｓ１が入力されるか、またはダミー信号入力手段４１からダミー信号Ｓ３が入力されると、それに応じて電源供給制御信号Ｓ２を電源入力手段３へ出力する。
【００２９】
ダミー信号入力手段４１は、例えばダミー信号を入力するためのダミー信号入力用スイッチを有し、このダミー信号入力用スイッチが操作されることで電源入力制御手段２へダミー信号Ｓ３を入力する。電源入力制御手段２はダミー信号入力手段４１からダミー信号Ｓ３が入力されると、電源入力手段３を介して冷却手段４に電源を供給し、前記実施の形態１で説明した図２の冷却ファン８の動作回路のリレー接点等のスイッチ回路１３を閉成し、温度検出手段１において検出されている周囲温度とは関係なく冷却ファン８を駆動する。
【００３０】
以上のように、この実施の形態４によれば、温度検出手段１において検出されている周囲温度とは関係なく、前記ダミー信号入力用スイッチを操作することで電源入力制御手段２へ入力されるダミー信号Ｓ３により冷却ファン８を動作させることが可能であり、冷却ファン８の動作試験を容易かつ効率的に行える効果がある。
【００３１】
実施の形態５．
図７は、この実施の形態５の動作試験方法が適用される冷却手段４の駆動条件の構成を示すブロック図である。なお、この実施の形態５では前記実施の形態２の図３の構成が適用され、また前記冷却手段４は電子機器の周囲温度を下げるための冷却ファン８である。この実施の形態５では、図７に示すように、ダミー信号Ｓ３がダミー信号入力手段４１から出力されていることを示すダミー信号オン条件４５と故障診断回路６が故障診断モードになっていることを示す故障診断モード条件４６との論理積を得るアンドゲート４７の出力を冷却手段４の冷却ファンの動作条件４８とする。
なお、図７に示す冷却ファンの動作条件はソフトウェアによって実現できるものである。
【００３２】
以上のように、この実施の形態５によれば、温度検出手段１において検出されている周囲温度とは関係なく、故障診断回路６が故障診断モードへ移行している状態とダミー信号入力手段４１がダミー信号Ｓ３を出力している状態が共に成立していることを条件に冷却ファン８を動作させることが可能であり、冷却ファン８の動作試験を容易かつ効率的に行える効果がある。
【００３３】
【発明の効果】
以上のように、この発明によれば、故障診断回路が故障診断モードへ移行した状態で、電源入力制御手段による制御状態にかかわらず、冷却手段への電源の供給を切り替える電源入力切替手段を備えるように構成したので、周囲温度を上昇させることなく冷却手段へ電源を供給し、前記冷却手段の動作試験を行えるため、前記冷却手段の動作試験を容易かつ効率的に行える効果がある。また、故障診断モードへ移行していない必要のないときに冷却手段を動作させてしまうことがなくなり、前記冷却手段の動作試験を容易かつ効率的に行える効果がある。
【００３４】
この発明によれば、冷却手段として冷却ファンを備えるように構成したので、周囲温度を上昇させることなく冷却ファンへ電源を供給し、前記冷却ファンの動作試験を行えるため、前記冷却ファンの動作試験を容易かつ効率的に行える効果がある。
【００３５】
この発明によれば、電源入力切替手段が、外部から機械的に操作される機械的接点を有したスイッチ回路を備えるように構成したので、周囲温度を上昇させることなく前記スイッチ回路を外部から機械的に操作して冷却ファンへ電源を供給し、前記冷却ファンの動作試験を行えるため、前記冷却ファンの動作試験を容易かつ効率的に行える効果がある。
【００３６】
この発明によれば、電源入力切替手段が、外部から非接触で操作される機械的接点を有していないスイッチング回路を備えるように構成したので、周囲温度を上昇させることなく前記スイッチング回路を外部から非接触で操作して冷却ファンへ電源を供給し、前記冷却ファンの動作試験を行えるため、前記冷却ファンの動作試験を容易かつ効率的に行える効果がある。
【００３７】
この発明によれば、電源入力切替手段が、スイッチング回路のオン／オフを外部から非接触で操作するためのセンサ回路を備えるように構成したので、周囲温度を上昇させることなく前記スイッチング回路を前記センサ回路により外部から非接触で操作して冷却ファンへ電源を供給し、前記冷却ファンの動作試験を行えるため、前記冷却ファンの動作試験を容易かつ効率的に行える効果がある。
【００３９】
この発明によれば、故障診断回路が故障診断モードへ移行している状態にあるときにのみ、電源入力制御手段による制御状態にかかわらず、電源入力手段から冷却手段への電源の供給を指示するダミー信号入力手段を備えるように構成したので、前記指示により、周囲温度を上昇させることなく前記冷却手段へ電源を供給し、前記冷却手段の動作試験を行えるため、前記冷却手段の動作試験を容易かつ効率的に行える効果がある。また、故障診断モードへ移行していない必要のないときにダミー信号が有効となり冷却手段を動作させてしまうことがなくなり、前記冷却手段の動作試験を容易かつ効率的に行える効果がある。
【００４０】
この発明によれば、ダミー信号入力手段は、温度検出手段が検出した温度上昇検出信号を模擬したダミー信号を電源入力制御手段へ出力し、前記電源入力制御手段は現在の制御状態にかかわらず前記ダミー信号に基づいて、電源入力手段から冷却手段への電源供給を制御するように構成したので、周囲温度を上昇させることなく前記ダミー信号により前記冷却手段へ電源を供給し、前記冷却手段の動作試験を行えるため、前記冷却手段の動作試験を容易かつ効率的に行える効果がある。
【図面の簡単な説明】
【図１】  この発明の実施の形態１の動作試験方法が適用される冷却手段の駆動回路の構成を示すブロック図である。
【図２】  この発明の実施の形態１の動作試験方法が適用される冷却ファンの動作回路を示す回路図である。
【図３】  この発明の実施の形態２の動作試験方法が適用される冷却手段の駆動条件の構成を示すブロック図である。
【図４】  この発明の実施の形態２の動作試験方法が適用される冷却ファンの駆動条件を実現する具体的な回路例である。
【図５】  この発明の実施の形態３の動作試験方法が適用される冷却手段の駆動回路の構成を示すブロック図である。
【図６】  この発明の実施の形態４の動作試験方法が適用される冷却手段の駆動回路の構成を示すブロック図である。
【図７】  この発明の実施の形態５の動作試験方法が適用される冷却手段の駆動条件の構成を示すブロック図である。
【図８】  従来の電子機器の動作試験方法が適用される冷却ファンの動作試験の構成を示すブロック図である。
【符号の説明】
１  温度検出手段、２  電源入力制御手段、３  電源入力手段、４  冷却手段、５  電源入力切替手段、６  故障診断回路、８  冷却ファン、１０  スイッチ回路、３１  センサ回路、４１  ダミー信号入力手段。
【図１】
0004354143.tif 000002
【図２】
0004354143.tif 000003
【図３】
0004354143.tif 000004
【図４】
0004354143.tif 000005
【図５】
0004354143.tif 000006
【図６】
0004354143.tif 000007
【図７】
0004354143.tif 000008
【図８】
0004354143.tif 000009